(57)【要約】【課題】良好な視認性を有し、安価で成形性の良好な材料からなるシャドウマスクを備えながら、ドーミングによる色純度の劣化が少なく、従来のカラー受像管用のキャビネットを使用することができるカラー受像管を提供する。【解決手段】シャドウマスク７は鉄を９５％以上含む材料からなり、パネル３の有効領域１の外面の対角軸方向の平均曲率半径は１０，０００ｍｍ以上である。パネル３の有効領域１の外面における、対角軸方向の曲線Ｃｄｏ、短辺に沿った曲線Ｃｓｏ、長辺に沿った曲線Ｃｌｏのそれぞれに沿った落ち込み量変化曲線のうちの６０％以上の部分が、特定の２つの曲線の間に存在する。【選択図】  図３
2007188786.tif 000002
【特許請求の範囲】
【請求項１】
内面に蛍光体スクリーンが形成されたほぼ矩形状の有効領域を有するパネルと、前記蛍光体スクリーンに対向する有孔部内に多数の電子ビーム通過孔が形成されたシャドウマスクとを備えたカラー受像管であって、
前記シャドウマスクは鉄を９５％以上含む材料からなり、
前記パネルの前記有効領域の外面の対角軸方向の平均曲率半径が１０，０００ｍｍ以上であり、
管軸に平行な平面内において、基準点から管軸に垂直な面と平行な方向に距離Ｌだけ離れた終点の、前記基準点に対する管軸方向の落ち込み量をＺｅとしたときに、前記基準点から管軸に垂直な面と平行な方向に距離ｄ（ｄ≦Ｌ）だけ離れた点の、前記基準点に対する管軸方向の落ち込み量を与える下記式（１）で表される落ち込み量変化曲線を定義したとき、
式（１）：
Ｚ＝｛（Ｚｅ・（１−ｒｆ））／Ｌ2｝・ｄ2＋｛（Ｚｅ・ｒｆ）／Ｌ4｝・ｄ4
前記パネルの前記有効領域の外面において、前記有効領域の中心を前記基準点とし、前記有効領域の対角軸端を前記終点としたとき、管軸及び対角軸を含む平面と前記有効領域の外面とが交差して得られる前記有効領域の外面上の曲線に沿った落ち込み量変化曲線のうちの６０％以上の部分が、前記式（１）においてｒｆ＝−０．７である落ち込み量変化曲線と、前記式（１）においてｒｆ＝−０．２である落ち込み量変化曲線との間に存在し、
前記パネルの前記有効領域の外面において、前記有効領域の長軸端を前記基準点とし、前記有効領域の対角軸端を前記終点としたとき、前記有効領域の短辺を含み管軸と平行な平面と前記有効領域の外面とが交差して得られる前記有効領域の外面上の曲線に沿った落ち込み量変化曲線のうちの６０％以上の部分が、前記式（１）においてｒｆ＝−０．３である落ち込み量変化曲線と、前記式（１）においてｒｆ＝０．３である落ち込み量変化曲線との間に存在し、
前記パネルの前記有効領域の外面において、前記有効領域の短軸端を前記基準点とし、前記有効領域の対角軸端を前記終点としたとき、前記有効領域の長辺を含み管軸と平行な平面と前記有効領域の外面とが交差して得られる前記有効領域の外面上の曲線に沿った落ち込み量変化曲線のうちの６０％以上の部分が、前記式（１）においてｒｆ＝−０．３である落ち込み量変化曲線と、前記式（１）においてｒｆ＝０．３である落ち込み量変化曲線との間に存在する
ことを特徴とするカラー受像管。
【請求項２】
前記パネルの前記有効領域の外面での曲率半径が、前記中心では全方向において正であり、前記対角軸端では少なくとも一方向において負である請求項１に記載のカラー受像管。
【請求項３】
前記シャドウマスクの前記有孔部の対角軸方向の平均曲率半径が１，０００ｍｍ以上であり、
前記シャドウマスクの前記有孔部において、前記有孔部の中心を前記基準点とし、前記有孔部の長軸端を前記終点としたとき、管軸及び長軸を含む平面と前記有孔部とが交差して得られる前記有孔部上の曲線に沿った落ち込み量変化曲線のうちの６０％以上の部分が、前記式（１）においてｒｆ＝０．７である落ち込み量変化曲線と、前記式（１）においてｒｆ＝１．２である落ち込み量変化曲線との間に存在し、
前記シャドウマスクの前記有孔部において、前記有孔部の短軸端を前記基準点とし、前記有孔部の対角軸端を前記終点としたとき、前記有孔部の長辺を含み管軸と平行な平面と前記有孔部とが交差して得られる前記有孔部上の曲線に沿った落ち込み量変化曲線のうちの６０％以上の部分が、前記式（１）においてｒｆ＝−０．２である落ち込み量変化曲線と、前記式（１）においてｒｆ＝０．５である落ち込み量変化曲線との間に存在する
請求項１に記載のカラー受像管。
【請求項４】
前記パネルの前記有効領域の内面の対角軸方向の平均曲率半径が１，０００ｍｍ以上であり、
前記パネルの前記有効領域の内面において、前記有効領域の中心を前記基準点とし、前記有効領域の長軸端を前記終点としたとき、管軸及び長軸を含む平面と前記有効領域の内面とが交差して得られる前記有効領域の内面上の曲線に沿った落ち込み量変化曲線のうちの６０％以上の部分が、前記式（１）においてｒｆ＝０．７である落ち込み量変化曲線と、前記式（１）においてｒｆ＝１．２である落ち込み量変化曲線との間に存在し、
前記パネルの前記有効領域の内面において、前記有効領域の短軸端を前記基準点とし、前記有効領域の対角軸端を前記終点としたとき、前記有効領域の長辺を含み管軸と平行な平面と前記有効領域の内面とが交差して得られる前記有効領域の内面上の曲線に沿った落ち込み量変化曲線のうちの６０％以上の部分が、前記式（１）においてｒｆ＝−０．２である落ち込み量変化曲線と、前記式（１）においてｒｆ＝０．５である落ち込み量変化曲線との間に存在する
請求項１に記載のカラー受像管。
【発明の詳細な説明】
【技術分野】
【０００１】
本発明は鉄を９５％以上含む材料からなるシャドウマスクを備えたカラー受像管に関する。
【背景技術】
【０００２】
一般に、カラー受像管は、図１に示すように、曲面からなる有効領域１の周囲にスカート部２が設けられたほぼ矩形状のパネル３と、スカート部２に接合された漏斗状のファンネル４とからなる外囲器を有する。パネル３の有効領域１の内面には３色蛍光体層及び黒色非発光物質層からなる蛍光体スクリーン５が形成されている。シャドウマスク７が、ほぼ矩形枠状のマスクフレーム８により保持されている。シャドウマスク７及びマスクフレーム８からなるシャドウマスク構体９は、マスクフレーム８の各コーナー部あるいは短辺上及び長辺上に略Ｖ字状の弾性支持体１５の一端を取り付け、この弾性支持体１５の他端をパネル３のスカート部２の内壁に植設されたスタッドピン１６に係止することにより、パネル３に対して脱着可能に支持されている。シャドウマスク７は、蛍光体スクリーン５に対向するほぼ矩形状の有孔部を備える。有孔部は曲面形状を有し、有孔部内には多数の電子ビーム通過孔６が形成されている。ファンネル４のネック１０内に３電子ビーム１１を放出する電子銃１２が配設されている。この電子銃１２から放出される３電子ビーム１１をファンネル４の外側に装着された偏向装置１３が発生する磁界により偏向し、シャドウマスク７を介して蛍光体スクリーン５を水平方向及び垂直方向に走査させることによりカラー画像を表示する。
【０００３】
一般に、カラー受像管の蛍光体スクリーン５上に色ズレのない画像を表示するためには、シャドウマスク７に形成されている電子ビーム通過孔６を通過する３電子ビーム１１が蛍光体スクリーン５の３色蛍光体層にそれぞれに正しくランディングしなければならない。
【０００４】
そのためにはパネル３とシャドウマスク７との間隔ｑを適切に確保する必要がある。
【０００５】
蛍光体スクリーン５は、シャドウマスク７をマスクとして用いた露光法により形成される。即ち、図１５に示すように、赤、緑、青の３色蛍光体ストライプは、それぞれ露光装置の光源１８Ｒ、１８Ｇ、１８Ｂからの光線を電子ビームの軌道に近似させてパネル３の内面に照射することにより得られる。
【０００６】
このとき、上記間隔ｑを、図１６（Ａ）に示されているように、ｓ＝（２／３）ＰＨPとなるように設定することで均一な蛍光体ストライプが得られる。ここで、ＰＨPは、赤Ｒ、緑Ｇ、青Ｂの３色蛍光体ストライプの配列ピッチであり、シャドウマスクの電子ビーム通過孔の配列ピッチにより一義的に決定される。ｓは、赤の蛍光体ストライプＲの中心と青の蛍光体ストライプＢの中心との間隔であり、間隔ｑにより変化する。しかし、図１６（Ｂ）に示すようにｓ＜（２／３）ＰＨPであったり、図１６（Ｃ）に示すようにｓ＞（２／３）ＰＨPであったりすると、黒色非発光物質層（ブラックストライプ）１７の幅を十分に確保することができず、カラー受像管の動作時に色純度の劣化を招きやすい。また、ピッチＰＨPが大きいほど黒色非発光物質層１７の幅を十分に確保できるが、大きくしすぎると解像度の劣化を招く。
【０００７】
近年、カラー受像管の視認性向上のために、パネル３の有効領域１の外面形状が略平面となるように、その曲率を小さくすることが要求されてきている。これに伴い、防爆上の点および視認度の点からも、パネル３の有効領域１の内面の曲率も小さくすることが必要となる。
【０００８】
さらに、このパネル１の内面に電子ビームを所望の位置に適切にランディングさせるためにはパネル３とシャドウマスク７との間隔ｑを適切に確保する必要があり、電子ビーム通過孔６を有するシャドウマスク７の有孔部の曲率もパネル３の有効領域１の内面の曲率に合わせて小さくしなければならない。
【０００９】
シャドウマスク型カラー受像管では、その動作原理上、シャドウマスク７の電子ビーム通過孔６を通過して蛍光体スクリーン５に到達する電子ビーム１１は、電子銃１２から放出される全電子ビーム量の１／３以下であり、他の電子ビームはシャドウマスク７に衝突して熱エネルギーに変換される。従って、シャドウマスク７が加熱され、その結果生ずる熱膨張により、シャドウマスク７は蛍光体スクリーン５側に膨出するように変形する、いわゆるドーミングをおこす。このドーミングにより、蛍光体スクリーン５とシャドウマスク７との間隔ｑが許容範囲を超えると、蛍光体スクリーン５に対する電子ビーム１１のランディング位置がずれ、色純度が劣化する。
【００１０】
このシャドウマスク７の熱膨張による電子ビーム１１のランディング位置ずれの大きさは、画像パターンの輝度およびそのパターンの継続時間などにより大きく異なる。特に局所的に高輝度画像パターンを表示した場合は、局所的なドーミングが生じ、短時間のうちに局所的なランディング位置ずれが生じる。この局所的なドーミングではランディング位置ずれ量も大きい。
【００１１】
図１７に示すように、パネル３の有効領域１の中心（即ち管軸が交差する点）をＰｃ、管軸に直交し有効領域１の長辺に平行な軸を長軸Ｘ、管軸及び長軸Ｘに直交し有効領域１の短辺に平行な軸を短軸Ｙとする。また、管軸及び長軸Ｘを含む面と有効領域１の短辺とが交差する点を長軸端Ｐｘ、中心Ｐｃと長軸端Ｐｘとの長軸Ｘに沿った間隔をＷとする。上記の局所的なドーミングは、高輝度パターンを、中心Ｐｃから（２／３）×Ｗだけ離れた長軸Ｘ上の点Ｐ１を含む楕円状の領域３０に表示した場合に最も大きく現れ、この領域３０で電子ビームのランディング位置ずれが最も大きくなる。
【００１２】
シャドウマスク７の曲率が小さくなるとドーミング量が大きくなるため、電子ビームのランディング位置ずれ量も大きくなり、色純度が大幅に劣化する。このため、パネル３の有効領域１の外面がほぼ平坦なカラー受像管では、ドーミングを抑制するため、シャドウマスク７の材料として、一般に、熱膨張係数の低い、鉄およびニッケルを主成分とする合金が使用されている。例えば３６Ｎｉアンバー合金などの鉄−ニッケル系合金が使用される。このような合金の熱膨張係数は０〜１００℃で１〜２×１０-6であり、ドーミング抑制に対しては有効である反面、高コストであり、更に、鉄−ニッケル系合金は焼鈍後に大きな弾性を有するため、曲面成型加工が難しく、所望の曲面を得るのが難しい。例えば、９００℃もの高温で焼鈍しても降伏点強度は２８×１０7Ｎ／ｍ2程度であり、一般に成型加工が容易であるとされる降伏点強度である２０×１０7Ｎ／ｍ2以下にするためにはかなりの高温処理が必要になる。特に、パネル３の有効領域１の外面が平坦なカラー受像管においては、シャドウマスク７の曲率が小さいため、成型加工はさらに難しい。
【００１３】
成型加工が不十分で、且つ成型後に不所望な応力がシャドウマスク７に残留している場合、カラー受像管の製造工程の中で残留応力がシャドウマスク７の形状変化を生じさせ、これが電子ビームのビームランディング位置ずれを招き、色純度が大きく劣化することになる。
【００１４】
一方、高純度の鉄を主成分とする材料であれば、８００℃程度の焼鈍で降伏点強度を２０×１０7Ｎ／ｍ2以下にすることができるため、成型加工は非常に容易である。従って、アンバー合金では必須である成型加工時の金型温度を高温に保つ必要がなく、生産性も良好である。
【００１５】
しかし、このような高純度の鉄を主成分とする材料の熱膨張係数は０〜１００℃で約１２×１０-6と大きく、ドーミングに対しては不利であり、特にパネル３の有効領域１の外面がほぼ平坦なカラー受像管に適用した場合には、色純度が著しく劣化し、大きな問題となる。
【００１６】
特許文献１には、長軸方向の曲率半径がほぼ無限大であり、短軸方向の曲率半径が長軸方向の位置にかかわらずほぼ一定である、略円筒面状のシャドウマスクが開示されている。このようなシャドウマスクでもドーミング抑制に対してある程度の効果を有する。ところが、安価な鉄材を使用した場合には十分な効果が得られず、また、パネルの重量が増加してしまうという問題があった。
【００１７】
この問題を解決するために、パネル３の有効領域１の外面の曲率を大きくし、これに対応するように、パネル３の有効領域１の内面及びシャドウマスク７の有孔部の曲率を大きくすると、視認性が低下してしまう。また、従来の比較的平坦であるとされるカラー受像管のパネル３の有効領域１の外面の対角軸方向の平均曲率半径は約５０，０００から１００，０００ｍｍであり、有効領域１の外面の曲率をこれより遙かに大きくすると、この従来のカラー受像管用のＴＶセットのキャビネット（以下、「従来の平坦パネル用キャビネット」という）を使用することができなくなってしまい、新たなキャビネットの設計及び製作が必要となって大幅なコスト増を招く。
【特許文献１】特開平１０−１９９４３６号公報
【発明の開示】
【発明が解決しようとする課題】
【００１８】
上述したように、視認度向上のためパネル３の有効領域１の外面の曲率を小さくした場合において、シャドウマスク７の材料として鉄およびニッケルを主成分とする合金を使用すると曲面成型が難しく、所望の曲面が得られないことがあり、一方、安価で成形性の良好な鉄材を使用するとカラー受像管の動作時のシャドウマスク７の局所的ドーミングにより、電子ビームのランディング位置ずれが生じ、本来発光すべき蛍光体以外の蛍光体を発光させ、色純度が劣化する。
【００１９】
また、有効領域１の外面の曲率を大きくした場合には、外光が外面で反射して視認性が低下し、また、従来の平坦パネル用キャビネットを使用することができなくなってしまい、大幅なコスト増を招く。
【００２０】
本発明は、良好な視認性を有し、安価で成形性の良好な材料からなるシャドウマスクを備えながら、ドーミングによる色純度の劣化が少なく、従来の平坦パネル用キャビネットを使用することができるカラー受像管を提供することを目的とする。
【課題を解決するための手段】
【００２１】
本発明のカラー受像管は、内面に蛍光体スクリーンが形成されたほぼ矩形状の有効領域を有するパネルと、前記蛍光体スクリーンに対向する有孔部内に多数の電子ビーム通過孔が形成されたシャドウマスクとを備える。
【００２２】
前記シャドウマスクは鉄を９５％以上含む材料からなる。前記パネルの前記有効領域の外面の対角軸方向の平均曲率半径が１０，０００ｍｍ以上である。
【００２３】
管軸に平行な平面内において、基準点から管軸に垂直な面に含まれる方向に距離Ｌだけ離れた終点の、前記基準点に対する管軸方向の落ち込み量をＺｅとしたときに、前記基準点から管軸に垂直な面と平行な方向に距離ｄ（ｄ≦Ｌ）だけ離れた点の、前記基準点に対する管軸方向の落ち込み量を与える下記式（１）で表される落ち込み量変化曲線を定義したとき、
式（１）：
Ｚ＝｛（Ｚｅ・（１−ｒｆ））／Ｌ2｝・ｄ2＋｛（Ｚｅ・ｒｆ）／Ｌ4｝・ｄ4
前記パネルの前記有効領域の外面において、前記有効領域の中心を前記基準点とし、前記有効領域の対角軸端を前記終点としたとき、管軸及び対角軸を含む平面と前記有効領域の外面とが交差して得られる前記有効領域の外面上の曲線に沿った落ち込み量変化曲線のうちの６０％以上の部分が、前記式（１）においてｒｆ＝−０．７である落ち込み量変化曲線と、前記式（１）においてｒｆ＝−０．２である落ち込み量変化曲線との間に存在し、
前記パネルの前記有効領域の外面において、前記有効領域の長軸端を前記基準点とし、前記有効領域の対角軸端を前記終点としたとき、前記有効領域の短辺を含み管軸と平行な平面と前記有効領域の外面とが交差して得られる前記有効領域の外面上の曲線に沿った落ち込み量変化曲線のうちの６０％以上の部分が、前記式（１）においてｒｆ＝−０．３である落ち込み量変化曲線と、前記式（１）においてｒｆ＝０．３である落ち込み量変化曲線との間に存在し、
前記パネルの前記有効領域の外面において、前記有効領域の短軸端を前記基準点とし、前記有効領域の対角軸端を前記終点としたとき、前記有効領域の長辺を含み管軸と平行な平面と前記有効領域の外面とが交差して得られる前記有効領域の外面上の曲線に沿った落ち込み量変化曲線のうちの６０％以上の部分が、前記式（１）においてｒｆ＝−０．３である落ち込み量変化曲線と、前記式（１）においてｒｆ＝０．３である落ち込み量変化曲線との間に存在する。
【発明の効果】
【００２４】
本発明によれば、パネルの有効領域の外面の中心に対する対角軸端の落ち込み量が比較的大きいにもかかわらず、有効領域の外面の視認性が損なわれず、また、従来の平坦パネル用キャビネットを使用することができる。また、シャドウマスクが鉄を主成分とする材料からなるために低コストでありながら、ドーミングによる色純度の劣化を抑えることができる。
【発明を実施するための最良の形態】
【００２５】
以下、本発明を図面を参照しながら詳細に説明する。
【００２６】
図１は、本発明の一実施形態に係るカラー受像管の断面図である。カラー受像管は、曲面からなる有効領域１の周囲にスカート部２が設けられたほぼ矩形状のパネル３と、スカート部２に接合された漏斗状のファンネル４とからなる外囲器を有する。パネル３の有効領域１の内面には３色蛍光体層及び黒色非発光物質層からなる蛍光体スクリーン５が形成されている。シャドウマスク７が、ほぼ矩形枠状のマスクフレーム８により保持されている。シャドウマスク７及びマスクフレーム８からなるシャドウマスク構体９は、マスクフレーム８の各コーナー部あるいは短辺上及び長辺上に弾性支持体１５の一端を取り付け、この弾性支持体１５の他端をパネル３のスカート部２の内壁に植設されたスタッドピン１６に係止することにより、パネル３に対して脱着可能に支持されている。シャドウマスク７は、蛍光体スクリーン５に対向するほぼ矩形状の有孔部を備える。有孔部は曲面形状を有し、有孔部内には多数の電子ビーム通過孔６が形成されている。ファンネル４のネック１０内に３電子ビーム１１を放出する電子銃１２が配設されている。この電子銃１２から放出される３電子ビーム１１をファンネル４の外側に装着された偏向装置１３が発生する磁界により偏向し、シャドウマスク７を介して蛍光体スクリーン５を水平方向及び垂直方向に走査させることによりカラー画像を表示する。
【００２７】
図２は、本発明の一実施形態に係るカラー受像管のパネル３の概略形状を示した斜視図である。図３は、本発明の一実施形態に係るカラー受像管のパネル３の概略構成を示した切り欠き斜視図である。図示したように、カラー受像管の管軸Ｚと直交し、略矩形状の有効領域１の長辺に平行な軸を長軸Ｘ、管軸Ｚ及び長軸Ｘと直交し、有効領域１の短辺に平行な軸を短軸Ｙとする。有効領域１の長辺と短辺とが交差する位置を対角軸端Ｐｄと呼び、管軸Ｚと直交し、管軸Ｚを挟む一対の対角軸端Ｐｄを結ぶ方向に平行な軸を対角軸Ｄと呼ぶ。管軸Ｚはパネル３の有効領域１の中心Ｐｃを通過する。図３は、パネル３を、長軸Ｘ及び管軸Ｚを含む面（ＸＺ面）及び短軸Ｙ及び管軸Ｚを含む面（ＹＺ面）により４分割して得た１つ（第１象限に属する部分）を示している。パネル３はＸＺ面及びＹＺ面に対して対称である。
【００２８】
中心Ｐｃの有効領域１の外面上の点をＰｃｏ、内面上の点をＰｃｉとする。対角軸端Ｐｄの有効領域１の外面上の点をＰｄｏ、内面上の点をＰｄｉとする。有効領域１の外周端と管軸Ｚ及び短軸Ｙを含む平面とが交差する位置を短軸端Ｐｙと呼び、短軸端Ｐｙの有効領域１の外面上の点をＰｙｏ、内面上の点をＰｙｉとする。有効領域１の外周端と管軸Ｚ及び長軸Ｘを含む平面とが交差する位置を長軸端Ｐｘと呼び、長軸端Ｐｘの有効領域１の外面上の点をＰｘｏ、内面上の点をＰｘｉとする。
【００２９】
本発明において、パネル３の有効領域１とは、画面の表示領域を意味し、これは蛍光体スクリーン５が形成された領域と一致する。
【００３０】
図４は、シャドウマスク７の概略形状を示した斜視図である。シャドウマスク７は、蛍光体スクリーン５と対向する主面部７０と、主面部７０の周囲に設けられ、主面部７０に対して折り曲げられたスカート部７３とを備える。主面部７０は、多数の電子ビーム通過孔（図示せず）が縦横方向に配列形成されたほぼ矩形状の曲面からなる有孔部７１と、有孔部７１を取り囲むようにその周囲に配置され、電子ビーム通過孔が形成されていない無孔部７２とを備える。スカート部７３をマスクフレーム８の内側に嵌め込んで、両者を溶接することにより、シャドウマスク７はマスクフレーム８と一体化される。このようなシャドウマスク７は、エッチングにより電子ビーム通過孔を形成した金属平板をプレス成形することにより作成される。
【００３１】
シャドウマスク７の中心（管軸Ｚが通過する点）をＰｍｃとする。略矩形状の有孔部７１の長辺７１Ｌと短辺７１Ｓとが交差する点を対角軸端Ｐｍｄとする。有孔部７１の長辺７１Ｌと管軸Ｚ及び短軸Ｙを含む平面とが交差する点を短軸端Ｐｍｙとする。有孔部７１の短辺７１Ｓと管軸Ｚ及び長軸Ｘを含む平面とが交差する点を長軸端Ｐｍｘとする。
【００３２】
シャドウマスク７は、鉄を９５％以上含む材料、例えば熱膨張係数が０〜１００℃で１２×１０-6の高純度の鉄からなるアルミキルド脱炭鋼からなる。これにより、安価でありながら、パネル３の有効領域１の外内面を略平坦化し、これに対応するように有孔部７１を略平坦化しても、十分な成型性を確保することができる。
【００３３】
但し、アルミキルド脱炭鋼は、高価なアンバー合金のような材料に比べると熱膨張係数が大きく、ドーミングに対しては不利である。特に有効領域１の外面がほぼ平面であるパネル３に適用した場合は著しい色純度の劣化を招く可能性が高い。
【００３４】
本発明では、パネル３の有効領域１の外面の中心Ｐｃｏに対する対角軸端Ｐｄｏの管軸Ｚ方向における落ち込み量を大きくしている。これにより、有効領域１の内面の中心Ｐｃｉに対する対角軸端Ｐｄｉの管軸Ｚ方向における落ち込み量を大きくすることができ、シャドウマスク７の中心Ｐｍｃに対する対角軸端Ｐｍｄの管軸Ｚ方向における落ち込み量を大きくすることができる。ここで、「落ち込み量」とは、基準点に対する管軸Ｚ方向における変位量（電子銃１２に近づく側を正とする）を意味する。
【００３５】
以上により、シャドウマスク７の曲率を比較的大きく設定することができるので、ドーミングを効果的に抑制することができる。また、パネル３の有効領域１の中心Ｐｃと対角軸端Ｐｄとの厚み差が大きくならないので、中心Ｐｃ近傍と対角軸端Ｐｄ近傍との光線透過率差の増大によって画面四隅で輝度が低下することがない。また、パネル３の有効領域１の対角軸端Ｐｄでの厚みが増大することにより、パネル３の重量増加によってコストが上昇したり、カラー受像管の製造過程中の加熱工程での熱応力によって対角軸端Ｐｄ近傍にてパネル３に割れが発生して歩留まりが低下したりすることもない。
【００３６】
但し、パネル３の有効領域１の外面の曲率半径を単に小さくしただけでは、有効領域１の外面の対角軸方向の平均曲率半径が約５０，０００から１００，０００ｍｍである従来のカラー受像管に比べて、有効領域１の外面の平坦性が劣り、また、従来の平坦パネル用キャビネットをそのまま使用することができなくなってしまうのでコスト増を招く。
【００３７】
そこで、本発明では、管軸Ｚに平行な特定の平面とパネル３の有効領域１の外面とが交差して得られる有効領域１の外面上の曲線に沿った落ち込み量変化曲線に着目する。
【００３８】
即ち、管軸Ｚに平行な平面内において、基準点から管軸Ｚに垂直な面と平行な方向に距離Ｌだけ離れた終点の、前記基準点に対する管軸Ｚ方向の落ち込み量をＺｅとしたときに、前記基準点から管軸Ｚに垂直な面と平行な方向に距離ｄ（ｄ≦Ｌ）だけ離れた点の、前記基準点に対する管軸方向の落ち込み量を与える下記式（１）で表される落ち込み量変化曲線を想定する。
【００３９】
式（１）：
Ｚ＝｛（Ｚｅ・（１−ｒｆ））／Ｌ2｝・ｄ2＋｛（Ｚｅ・ｒｆ）／Ｌ4｝・ｄ4
そして、有効領域１の外面上の特定の曲線に沿った落ち込み量変化曲線を、式（１）で与えられる上記落ち込み量変化曲線との関係で規定する。
【００４０】
具体的には、パネル３の有効領域１の外面は、以下の条件Ｐｏ−１〜Ｐｏ−３を満足する。
【００４１】
条件Ｐｏ−１：パネル３の有効領域１の外面において、有効領域１の中心Ｐｃｏを前記基準点とし、有効領域１の対角軸端Ｐｄｏを前記終点としたとき、管軸Ｚ及び対角軸Ｄを含む平面と有効領域１の外面とが交差して得られる有効領域１の外面上の曲線Ｃｄｏ（図３参照）に沿った落ち込み量変化曲線のうちの６０％以上の部分が、前記式（１）においてｒｆ＝−０．７である落ち込み量変化曲線と、前記式（１）においてｒｆ＝−０．２である落ち込み量変化曲線との間に存在する。
【００４２】
条件Ｐｏ−２：パネル３の有効領域１の外面において、有効領域１の長軸端Ｐｘｏを前記基準点とし、有効領域１の対角軸端Ｐｄｏを前記終点としたとき、有効領域１の短辺を含み管軸Ｚと平行な平面と有効領域１の外面とが交差して得られる有効領域の外面上の曲線Ｃｓｏ（図３参照）に沿った落ち込み量変化曲線のうちの６０％以上の部分が、前記式（１）においてｒｆ＝−０．３である落ち込み量変化曲線と、前記式（１）においてｒｆ＝０．３である落ち込み量変化曲線との間に存在する。
【００４３】
条件Ｐｏ−３：パネル３の有効領域１の外面において、有効領域１の短軸端Ｐｙｏを前記基準点とし、有効領域１の対角軸端Ｐｄｏを前記終点としたとき、有効領域１の長辺を含み管軸Ｚと平行な平面と有効領域１の外面とが交差して得られる有効領域１の外面上の曲線Ｃｌｏ（図３参照）に沿った落ち込み量変化曲線のうちの６０％以上の部分が、前記式（１）においてｒｆ＝−０．３である落ち込み量変化曲線と、前記式（１）においてｒｆ＝０．３である落ち込み量変化曲線との間に存在する。
【００４４】
上記条件Ｐｏ−１〜Ｐｏ−３を満足することにより、良好な視認性を有しながら、従来の平坦パネル用キャビネットを使用することが可能になる。
【００４５】
本発明を、対角軸Ｄ方向の画面有効寸法６０ｃｍ、画面アスペクト比４：３、パネル３の有効領域１の外面の対角軸方向の平均曲率半径が約２２，０００ｍｍであるカラー受像管（以下、これを「実施例１」という）を例に説明する。
【００４６】
本発明において、「有効領域１の外面の対角軸方向の平均曲率半径」とは、中心Ｐｃｏと、これを挟む一対の対角軸端Ｐｄｏとによって定義される円弧の半径を意味する。
【００４７】
図５は、実施例１に係るカラー受像管において、管軸Ｚ及び対角軸Ｄを含む平面とパネル３の有効領域１の外面とが交差して得られる有効領域１の外面上の曲線Ｃｄｏに沿った落ち込み量変化曲線を示した図である。
【００４８】
本実施例１では、有効領域１の外面上の曲線Ｃｄｏに沿った落ち込み量変化曲線のうち、約７０％に相当する対角軸Ｄ方向に２１０ｍｍの部分は、前記式（１）においてｒｆ＝−０．７である落ち込み量変化曲線と、前記式（１）においてｒｆ＝−０．２である落ち込み量変化曲線との間に存在しており、条件Ｐｏ−１を満足している。
【００４９】
図６は、実施例１のパネル３の有効領域１の外面上において、有効領域の対角軸、短辺、長辺に沿った曲線Ｃｄｏ、Ｃｓｏ、Ｃｌｏの落ち込み量変化曲線を示した図である。図６において、縦軸は中心Ｐｃｏに対する落ち込み量を示し、横軸は基準点からの管軸Ｚに垂直な面と平行な方向に沿った距離を示す。図６には、主要点での中心Ｐｃｏに対する落ち込み量の値を併せて示している。実施例１の曲線Ｃｓｏ、Ｃｌｏに沿った落ち込み量変化曲線は、上記条件Ｐｏ−２及び条件Ｐｏ−３を満足している。
【００５０】
図７（Ａ）は、実施例１及び比較例１のパネル３の有効領域１の外面上において、有効領域１の長辺に沿った曲線Ｃｌｏの落ち込み量変化曲線を示した図であり、図７（Ｂ）は、実施例１及び比較例１のパネル３の有効領域１の外面上において、有効領域１の短辺に沿った曲線Ｃｓｏの落ち込み量変化曲線を示した図である。ここで、「比較例１」とは、有効領域１の外面が単一曲率半径の曲面である点、即ち、管軸Ｚを含む断面における有効領域１の外面の曲率半径が断面の方向にかかわらず２２，０００ｍｍで一定である点を除いて実施例１と同じであるカラー受像管を意味する。
【００５１】
図８は、実施例１のパネル３の有効領域１の外面上において、短辺及び長辺に沿った曲率分布を示した図である。図８において、「短辺」とは、短辺に沿った曲線Ｃｓｏについての短軸Ｙ方向の曲率を示し、「長辺」とは、長辺に沿った曲線Ｃｌｏについての長軸Ｘ方向の曲率を示す。
【００５２】
実施例１では、図５及び図６に示されているように、パネル３の有効領域１の外面の対角軸Ｄ方向の平均曲率半径が約２２，０００ｍｍと比較的小さいので、ドーミングを効果的に抑制することができる。しかも、有効領域１の外面上の曲線Ｃｄｏ、Ｃｓｏ、Ｃｌｏに沿った落ち込み量変化曲線が条件Ｐｏ−１，Ｐｏ−２，Ｐｏ−３を満足するので、有効領域１を視覚的にはほぼ平坦面と認識することができ、視認性は良好である。
【００５３】
更に、図７（Ａ）及び図７（Ｂ）に示されているように、実施例１では、対角軸端Ｐｄｏでの落ち込み量は比較例１と同様に大きいにもかかわらず、有効領域１の外面の長辺及び短辺に沿った曲線Ｃｌｏ，Ｃｓｏの落ち込み量の変化量は比較例１に比べて少ない。図８に示されているように、実施例１では、短辺に沿った曲線Ｃｓｏの曲率は短辺方向位置にかかわらずほぼ一定であり（曲率半径が約４５，０００ｍｍ）、長辺に沿った曲線Ｃｌｏの曲率も長辺方向位置にかかわらずほぼ一定である（曲率半径が約６０，０００ｍｍ）。従って、実施例１のカラー受像管に対して、従来の平坦パネル用キャビネットを使用することが可能である。
【００５４】
一方、比較例１のカラー受像管に対しては、図７（Ａ）及び図７（Ｂ）に示されているように有効領域１の外面の長辺及び短辺に沿った曲線Ｃｓｏ，Ｃｌｏの落ち込み量の変化量が大きいので、この従来の平坦パネル用キャビネットを使用することは困難である。従って、比較例１では、専用のキャビネットを新作する必要があり、ＴＶセットのコストが増加する。また、キャビネットとの境界となる有効領域１の外面の長辺及び短辺での曲率半径が小さいので、画面の曲面が目立ちやすく、平面性に劣る。
【００５５】
パネル３の有効領域１の外面での、カラー受像管の周辺の外光の反射像について評価した結果を示す。評価方法は以下の通りである。有効領域１の中心Ｐｃｏでの法線上に視点を設け、視点に対して有効領域１とは反対側に、平面上に格子を描いた被写体を、この法線に対して垂直に設ける。そして、視点で認識される、有効領域１の外面で反射した被写体像を解析により求めた。
【００５６】
図９（Ａ）は実施例１のパネルについての解析結果を示した図である。実施例１では、有効領域１の外面の平坦性が損なわれていないため、被写体像の歪みが小さく、違和感がほとんど感じられない。
【００５７】
図９（Ｂ）は、有効領域１の外面上の対角軸Ｄ方向の曲線Ｃｄｏに沿った落ち込み量変化曲線が、中心Ｐｃｏを基準点とし、対角軸端Ｐｄｏを終点とし、ｒｆ＝−０．８とした式（１）により表され、短辺に沿った曲線Ｃｓｏに沿った落ち込み量変化曲線が、長軸端Ｐｘｏを基準点とし、対角軸端Ｐｄｏを終点とし、ｒｆ＝−０．５とした式（１）により表され、長辺に沿った曲線Ｃｌｏに沿った落ち込み量変化曲線が、短軸端Ｐｙｏを基準点とし、対角軸端Ｐｄｏを終点とし、ｒｆ＝−０．５とした式（１）により表される比較例２のパネルについての解析結果を示した図である。
【００５８】
図９（Ｃ）は、有効領域１の外面上の対角軸Ｄ方向の曲線Ｃｄｏに沿った落ち込み量変化曲線が、中心Ｐｃｏを基準点とし、対角軸端Ｐｄｏを終点とし、ｒｆ＝−０．８とした式（１）により表され、短辺に沿った曲線Ｃｓｏに沿った落ち込み量変化曲線が、長軸端Ｐｘｏを基準点とし、対角軸端Ｐｄｏを終点とし、ｒｆ＝０．５とした式（１）により表され、長辺に沿った曲線Ｃｌｏに沿った落ち込み量変化曲線が、短軸端Ｐｙｏを基準点とし、対角軸端Ｐｄｏを終点とし、ｒｆ＝０．５とした式（１）により表される比較例３のパネルについての解析結果を示した図である。
【００５９】
比較例２，３では、パネル３の有効領域１の外面の曲面のうねりの増大により被写体像の歪みが大きく、有効領域１の外面の平坦性評価は「良」と「不良」との境界レベルであった。
【００６０】
上記比較例３のパネル３の有効領域１の外面上において、短辺及び長辺に沿った曲率分布を図１０に示す。図１０において、「短辺」とは、短辺に沿った曲線Ｃｓｏについての短軸Ｙ方向の曲率を示し、「長辺」とは、長辺に沿った曲線Ｃｌｏについての長軸Ｘ方向の曲率を示す。
【００６１】
実施例１についての曲率を示した図８と比較すれば明らかな通り、比較例３では、短辺及び長辺に沿った曲線Ｃｓｏ，Ｃｌｏともに曲率の変化が大きい。従って、比較例３のカラー受像管を、従来の平坦パネル用キャビネットに組み込むと、図１１において、有効領域１の外面の長辺近傍及び短辺近傍とキャビネット８０との境界部分８１に不均一な隙間が形成されてしまい、ＴＶセットの商品価値を著しく低下させてしまう。
【００６２】
実施例２に係るカラー受像管を説明する。実施例２は、実施例１と同様に、対角軸Ｄ方向の画面有効寸法６０ｃｍ、画面アスペクト比４：３、パネル３の有効領域１の外面の対角軸Ｄ方向の平均曲率半径が約２２，０００ｍｍであるカラー受像管である。実施例２では、有効領域１の外面上の対角軸Ｄ方向の曲線Ｃｄｏに沿った落ち込み量変化曲線が、中心Ｐｃｏを基準点とし、対角軸端Ｐｄｏを終点とし、ｒｆ＝−０．４５とした式（１）により表され、短辺に沿った曲線Ｃｓｏに沿った落ち込み量変化曲線が、長軸端Ｐｘｏを基準点とし、対角軸端Ｐｄｏを終点とし、ｒｆ＝０とした式（１）により表され、長辺に沿った曲線Ｃｌｏに沿った落ち込み量変化曲線が、短軸端Ｐｙｏを基準点とし、対角軸端Ｐｄｏを終点とし、ｒｆ＝０とした式（１）により表される。従って、実施例２は上記の条件Ｐｏ−１〜Ｐｏ−３を満足する。
【００６３】
図示を省略するが、実施例２では、実施例１についての図８と同様に、短辺に沿った曲線Ｃｓｏの曲率は短辺方向位置にかかわらずほぼ一定であり、長辺に沿った曲線Ｃｌｏの曲率も長辺方向位置にかかわらずほぼ一定であった。従って、実施例２のカラー受像管に対して、従来の平坦パネル用キャビネットを使用することが可能である。
【００６４】
また、図示を省略するが、実施例２では、実施例１についての図９（Ａ）と同様に、パネル３の有効領域１の外面で反射される格子状の被写体像の歪みは小さく、有効領域１の外面の平坦性は良好であった。
【００６５】
実施例２では、パネル３の有効領域１の外面の曲線Ｃｄｏ、曲線Ｃｓｏ、曲線Ｃｌｏに沿った各落ち込み量変化曲線は、いずれも基準点からの距離ｄについての４次式である式（１）で表されたが、本発明において、これらの曲線の落ち込み量変化曲線の近似式の次数はこれに限定されず、スプライン曲線などであっても良い。すなわち、落ち込み量変化曲線の近似式の形式にかかわらず、実際の落ち込み量変化曲線が上記の条件Ｐｏ−１〜Ｐｏ−３を満足していればよい。
【００６６】
また、基準点に対する終点の管軸Ｚ方向の落ち込み量は上記の例に限定されず、これと異なる場合であっても上記と同様の効果が得られる。
【００６７】
本発明において、パネル３の有効領域１の外面での曲率半径が、中心Ｐｃｏでは全方向において正であり、対角軸端Ｐｄｏでは少なくとも一方向において負であることが好ましい。即ち、中心Ｐｃｏでの法線を含む断面での有効領域１の外面の曲率半径の値が、断面の向きの如何にかかわらず常に正の値をとり、対角軸端Ｐｄｏでの法線を含む断面での有効領域１の外面の曲率半径の値は、少なくとも一つの断面では負の値をとることが好ましい。ここで、曲率半径の正負の符号は、有効領域１の外面の断面において該外面が外方向に凸であるときを正とする。この好ましい条件を満足すれば、パネル３の有効領域１の外面の設計が容易になる。
【００６８】
図１２は、実施例１のパネル３の有効領域１の外面上の対角軸Ｄ方向の曲線Ｃｄｏに沿った最小曲率の変化を示した図である。図１２に示されているように、実施例１では、曲線Ｃｄｏに沿った最小曲率の極性は、中心Ｐｃｏと対角軸端Ｐｄｏとで逆転している。
【００６９】
図示を省略するが、上記実施例２でも、実施例１についての図１２と同様に、曲線Ｃｄｏに沿った最小曲率の極性は、中心Ｐｃｏと対角軸端Ｐｄｏとで逆転していた。
【００７０】
次に、シャドウマスク７の有孔部７１の曲面形状について説明する。
【００７１】
本発明では、シャドウマスク７の有孔部７１の対角軸方向の平均曲率半径が１，０００ｍｍ以上であることが好ましい。ここで、「有孔部７１の対角軸方向の平均曲率半径」とは、中心Ｐｍｃと、これを挟む一対の対角軸端Ｐｍｄとによって定義される円弧の半径を意味する。
【００７２】
本発明では、パネル３の有効領域１の外面と同様に、シャドウマスク７の有孔部７１上の特定の曲線に沿った落ち込み量変化曲線を、前記式（１）で与えられる落ち込み量変化曲線との関係で規定する。
【００７３】
具体的には、本発明では、シャドウマスク７の有孔部７１は、以下の条件Ｍ−１、Ｍ−２を満足することが好ましい。
【００７４】
条件Ｍ−１：シャドウマスク７の有孔部７１において、有孔部７１の中心Ｐｍｃを前記基準点とし、有孔部７１の長軸端Ｐｍｘを終点としたとき、管軸Ｚ及び長軸Ｘを含む平面と有孔部７１とが交差して得られる有孔部７１上の曲線Ｃｍｘ（図４参照）に沿った落ち込み量変化曲線のうちの６０％以上の部分が、前記式（１）においてｒｆ＝０．７である落ち込み量変化曲線と、前記式（１）においてｒｆ＝１．２である落ち込み量変化曲線との間に存在する。
【００７５】
条件Ｍ−２：シャドウマスク７の有孔部７１において、有孔部７１の短軸端Ｐｍｙを前記基準点とし、有孔部７１の対角軸端Ｐｍｄを前記終点としたとき、有孔部７１の長辺７１Ｌを含み管軸Ｚと平行な平面と有孔部７１とが交差して得られる有孔部７１上の曲線Ｃｍｌ（図４参照）に沿った落ち込み量変化曲線のうちの６０％以上の部分が、前記式（１）においてｒｆ＝−０．２である落ち込み量変化曲線と、前記式（１）においてｒｆ＝０．５である落ち込み量変化曲線との間に存在する。
【００７６】
上記の実施例１のカラー受像管を例に説明する。
【００７７】
実施例１では、有孔部７１の中心Ｐｍｃに対する長軸端Ｐｍｘの管軸Ｚ方向の落ち込み量は１３．２ｍｍであった。中心Ｐｍｃに対する長軸端Ｐｍｘの長軸Ｘ方向の距離は２２０ｍｍであった。曲線Ｃｍｘに沿った落ち込み量変化曲線は、中心Ｐｍｏを基準点とし、長軸端Ｐｍｘを終点とした式（１）により表される。このとき、ｒｆを変えたときの電子ビーム移動量の変化を図１３に示す。図１３において、縦軸は蛍光体スクリーン上での電子ビーム移動量を示す。「長軸中間」は、パネル３の有効領域１の外面上の中心Ｐｃｏと長軸端Ｐｘｏとの中間位置での電子ビーム移動量、「対角軸中間」は、パネル３の有効領域１の外面上の中心Ｐｃｏと対角軸端Ｐｄｏとの中間位置での電子ビーム移動量、「平均」は、上記長軸中間と上記対角軸中間との平均値である。長軸中間及び対角軸中間は、ドーミングによる電子ビーム移動量が最も問題になりやすい部分である。パネル３の有効領域１の内面の曲面は、シャドウマスク７の有孔部７１と同じ曲面形状である。
【００７８】
図１３より、０．７＜ｒｆ＜１．２のとき、電子ビーム移動量の平均値が小さく、且つ、長軸中間及び対角軸中間のいずれにおいても、色純度劣化の目安である、電子ビーム移動量が約１９０μｍ以下という条件を満足していることが分かる。
【００７９】
実施例１において、曲線Ｃｍｌに沿った落ち込み量変化曲線は、短軸端Ｐｍｙを基準点とし、対角軸端Ｐｍｄを終点とした式（１）により表される。このとき、ｒｆを変えたときの電子ビーム移動量の変化を図１４に示す。図１４において、縦軸は蛍光体スクリーン上での電子ビーム移動量を示す。「長軸中間」は、パネル３の有効領域１の外面上の中心Ｐｃｏと長軸端Ｐｘｏとの中間位置での電子ビーム移動量、「対角軸中間」は、パネル３の有効領域１の外面上の中心Ｐｃｏと対角軸端Ｐｄｏとの中間位置での電子ビーム移動量、「平均」は、上記長軸中間と上記対角軸中間との平均値である。長軸中間及び対角軸中間は、ドーミングによる電子ビーム移動量が最も問題になりやすい部分である。パネル３の有効領域１の内面の曲面は、シャドウマスク７の有孔部７１と同じ曲面形状である。
【００８０】
図１４より、ｒｆが０付近の値をとるとき、長軸中間及び対角軸中間のいずれにおいても、電子ビーム移動量が小さく、ｒｆが約０．４で平均が最小である。−０．２＜ｒｆ＜０．５のとき、電子ビーム移動量の平均値が小さく、且つ、長軸中間及び対角軸中間のいずれにおいても、色純度劣化の目安である、電子ビーム移動量が約１９０μｍ以下という条件を満足していることが分かる。
【００８１】
図１３及び図１４では、シャドウマスク７の有孔部７１の曲線Ｃｍｘ、曲線Ｃｍｌに沿った各落ち込み量変化曲線は、いずれも基準点からの距離ｄについての４次式である式（１）で表されたが、本発明において、これらの曲線の落ち込み量変化曲線の近似式の次数はこれに限定されず、スプライン曲線などを表す多項式であっても良い。落ち込み量変化曲線の近似式の形式にかかわらず、実際の落ち込み量変化曲線が上記の条件Ｍ−１〜Ｍ−３を満足していればよい。
【００８２】
また、基準点に対する終点の管軸Ｚ方向の落ち込み量は上記の例に限定されず、これと異なる場合であっても上記と同様の効果が得られる。
【００８３】
なお、シャドウマスク７の有孔部７１の表面に酸化ビスマスなどのコーティングを施すことにより、ドーミングを更に抑制することができるので好ましい。
【００８４】
次に、パネル３の有効領域１の内面の曲面形状について説明する。
【００８５】
上述したように、シャドウマスク７の電子ビーム通過孔６を通過した３電子ビーム１１がパネル３の有効領域１の内面に形成された蛍光体スクリーン５に正しくランディングするためには、有効領域１の内面とシャドウマスク７の有孔部７２との間隔ｑがほぼ一定であることが好ましい。
【００８６】
従って、パネル３の有効領域１の内面の曲面形状は、シャドウマスク７の有孔部７１の曲面形状とほぼ一致していることが好ましい。
【００８７】
そこで、パネル３の有効領域１の内面の対角軸方向の平均曲率半径も１，０００ｍｍ以上であることが好ましい。ここで、「有効領域１の内面の対角軸方向の平均曲率半径」とは、中心Ｐｃｉと、これを挟む一対の対角軸端Ｐｄｉとによって定義される円弧の半径を意味する。
【００８８】
また、本発明では、パネル３の有効領域１の内面上の特定の曲線に沿った落ち込み量変化曲線を、前記式（１）で与えられる落ち込み量変化曲線との関係で規定する。
【００８９】
具体的には、本発明では、パネル３の有効領域１の内面は、以下の条件Ｐｉ−１、Ｐｉ−２を満足することが好ましい。
【００９０】
条件Ｐｉ−１：パネル３の有効領域１の内面において、有効領域１の中心Ｐｃｉを前記基準点とし、有効領域１の長軸端Ｐｘｉを前記終点としたとき、管軸Ｚ及び長軸Ｘを含む平面と有効領域１の内面とが交差して得られる有効領域１の内面上の曲線Ｃｘｉ（図３参照）に沿った落ち込み量変化曲線のうちの６０％以上の部分が、前記式（１）においてｒｆ＝０．７である落ち込み量変化曲線と、前記式（１）においてｒｆ＝１．２である落ち込み量変化曲線との間に存在する。
【００９１】
条件Ｐｉ−２：パネル３の有効領域１の内面において、有効領域１の短軸端Ｐｙｉを前記基準点とし、有効領域１の対角軸端Ｐｄｉを前記終点としたとき、有効領域１の長辺を含み管軸Ｚと平行な平面と有効領域１の内面とが交差して得られる有効領域１の内面上の曲線Ｃｌｉ（図３参照）に沿った落ち込み量変化曲線のうちの６０％以上の部分が、前記式（１）においてｒｆ＝−０．２である落ち込み量変化曲線と、前記式（１）においてｒｆ＝０．５である落ち込み量変化曲線との間に存在する。
【００９２】
上記条件Ｐｉ−１、Ｐｉ−２を満足することにより、有効領域１の内面とシャドウマスク７の有孔部７１との間隔ｑをほぼ一定にすることができるので、ドーミングによる電子ビーム移動量が最も問題になりやすい部分である、パネル３の有効領域１の長軸中間及び対角軸中間においても、電子ビーム移動量を少なくすることができ、色純度の劣化を抑えることができる。
【００９３】
また、パネル３の有効領域１の周辺部が厚くなることによる重量増加及び製造過程中の加熱工程でのパネルの割れを抑制することができる。
【産業上の利用可能性】
【００９４】
本発明に係るカラー受像管は、コストを抑えるために鉄を９５％以上含む材料からなるシャドウマスクを採用しているにもかかわらず、パネルの有効領域の外面の曲面形状が適切に設定されていることにより、ドーミングによる色純度劣化を抑えることができ、また、従来の平坦パネル用キャビネットを使用することができる。従って、低コストで良好なカラー表示を行うことができるカラー受像管等として広く利用することができる。
【図面の簡単な説明】
【００９５】
【図１】図１は、カラー受像管の概略構成を示した断面図である。
【図２】図２は、本発明の一実施形態に係るカラー受像管のパネルの概略形状を示した斜視図である。
【図３】図３は、本発明の一実施形態に係るカラー受像管のパネルの概略形状を示した切り欠き斜視図である。
【図４】図４は、本発明の一実施形態に係るカラー受像管のシャドウマスクの概略形状を示した斜視図である。
【図５】図５は、本発明の実施例１に係るカラー受像管のパネルの有効領域の外面上の対角軸を含む断面に含まれる曲線に沿った落ち込み量変化曲線を示した図である。
【図６】図６は、本発明の実施例１に係るカラー受像管のパネルの有効領域の外面上において、有効領域の対角軸、長辺、短辺に沿った各曲線の落ち込み量変化曲線を示した図である。
【図７】図７（Ａ）は、本発明の実施例１及び比較例１に係るカラー受像管のパネルの有効領域の外面上において、有効領域の長辺に沿った曲線の落ち込み量変化曲線を示した図であり、図７（Ｂ）は、本発明の実施例１及び比較例１に係るカラー受像管のパネルの有効領域の外面上において、有効領域の短辺に沿った曲線の落ち込み量変化曲線を示した図である。
【図８】図８は、本発明の実施例１に係るカラー受像管のパネルの有効領域の外面上において、短辺及び長辺に沿った曲率分布を示した図である。
【図９】図９（Ａ）、図９（Ｂ）、図９（Ｃ）は、順に実施例１、比較例２、比較例３についてのパネルの有効領域の外面での反射像の解析結果を示した図である。
【図１０】図１０は、比較例３に係るカラー受像管のパネルの有効領域の外面上において、短辺及び長辺に沿った曲率分布を示した図である。
【図１１】図１１は、カラー受像管をＴＶセットのキャビネットに組み込んだ状態を示した斜視図である。
【図１２】図１２は、本発明の実施例１に係るカラー受像管のパネルの有効領域の外面上の対角軸方向の曲線に沿った最小曲率の変化を示した図である。
【図１３】図１３は、シャドウマスクの長軸方向の曲線の落ち込み量変化曲線を表す式（１）におけるｒｆに対する電子ビーム移動量の変化を示した図である。
【図１４】図１４は、シャドウマスクの長辺に沿った曲線の落ち込み量変化曲線を表す式（１）におけるｒｆに対する電子ビーム移動量の変化を示した図である。
【図１５】図１５は、蛍光体ストライプの形成方法を示す概略図である。
【図１６】図１６（Ａ）は理想的な蛍光体スクリーンの拡大正面図、図１６（Ｂ）及び図１６（Ｃ）は不適切な蛍光体スクリーンの拡大正面図である。
【図１７】図１７は、局所的なドーミングが発生しやすい局所的な高輝度画像パターンの一例を示したパネルの有効領域の正面図である。
【符号の説明】
【００９６】
１  有効領域
２  スカート部
３  パネル
４  ファンネル
５  蛍光体スクリーン
６  電子ビーム通過孔
７  シャドウマスク
７０  主面部
７１  有孔部
７２  無孔部
７３  スカート部
８  マスクフレーム
９  シャドウマスク構体
１０  ネック
１１  電子ビーム
１２  電子銃
１３  偏向装置
１５  弾性支持体
１６  スタッドピン
１７  黒色非発光物質層（ブラックストライプ）
１８Ｒ、１８Ｇ、１８Ｂ  光源
【図１】
2007188786.tif 000003
【図２】
2007188786.tif 000004
【図３】
2007188786.tif 000005
【図４】
2007188786.tif 000006
【図５】
2007188786.tif 000007
【図６】
2007188786.tif 000008
【図７】
2007188786.tif 000009
【図８】
2007188786.tif 000010
【図９】
2007188786.tif 000011
【図１０】
2007188786.tif 000012
【図１１】
2007188786.tif 000013
【図１２】
2007188786.tif 000014
【図１３】
2007188786.tif 000015
【図１４】
2007188786.tif 000016
【図１５】
2007188786.tif 000017
【図１６】
2007188786.tif 000018
【図１７】
2007188786.tif 000019